(57)【要約】      （修正有）【課題】回転機能が必要な造形物を作ろうとする場合には組立具と輪の組立角度にかかわらず簡単に組立できるチェーンブロック組立玩具用輪を提供する。【解決手段】チェーンブロックの組立具を間に挟んで組み立てられる、ドラム１０と輪組立体２０が互いに回転可能に装着されるチェーンブロック組立玩具用輪１であって、ドラム１０は円筒状本体１１に段顎１２が形成され、段顎１２が輪組立体２０の装着孔２２に挿入されて組み立てられ、ドラム１０と輪組立体２０が互いに回転可能に装着され、ドラム１０の円筒状本体１１の両面には多角形の結合部１３が形成されて、チェーンブロック組立玩具用輪１またはドラム１０をお互いに接続してチェーンブロック組立玩具の組立具で活用することができる。【選択図】図２
0003210884.tif 000002
【実用新案登録請求の範囲】
【請求項１】
チェーンブロックの組立具（１００）を間に挟んで組み立られる、ドラム（１０）と輪組立体（２０）が互いに回転可能に装着されるチェーンブロック組立玩具用輪（１）であって、
前記ドラム（１０）は円筒状本体（１１）に段顎（１２）が形成され、前記段顎（１２）が前記輪組立体（２０）の装着孔（２２）に挿入されて組み立られ、前記ドラム（１０）と前記輪組立体（２０）が互いに回転可能に装着され、
前記ドラム（１０）の前記円筒状本体（１１）の両面には多角形の結合部（１３）が形成されて、前記チェーンブロック組立玩具用輪（１）または前記ドラム（１０）をお互いに接続してチェーンブロック組立玩具の組立具で活用することができることを特徴とするチェーンブロック組立玩具用輪。
【請求項２】
前記ドラム（１０）に形成される前記結合部（１３）はドラムの両側に突き出されるように雄結合部（１４）が形成されるか、あるいはドラムの両側に内入されるように雌結合部（１５）が形成されるか、あるいはドラムの両側でそれぞれ雄結合部（１４）と雌結合部（１５）が一つずつ形成されて、前記チェーンブロック組立玩具用輪（１）または前記ドラム（１０）をチェーンブロック組立玩具の組立具で活用することができることを特徴とする請求項１に記載のチェーンブロック組立玩具用輪。
【請求項３】
前記結合部（１３）は８角形で形成されていろいろな角度で組立することができることを特徴とする請求項２に記載のチェーンブロック組立玩具用輪。
【請求項４】
前記雄結合部（１４）は多角形を構成する突き出壁体（１４ａ）の周りに沿って締結溝（１４）ｂが形成され、前記雌結合部（１５）は多角形を構成する内入壁体（１５ａ）から突出する締結部（１５ｂ）が形成されて、前記雄結合部（１４）と前記雌結合部（１５）がかみ合い結合されて自由に分離しないように組み立てられることを特徴とする請求項２に記載のチェーンブロック組立玩具用輪。
【請求項５】
前記内入壁体（１５ａ）に形成される前記締結部（１５ｂ）は切開部（１５c）を設けることによって前記締結部（１５ｂ）が前後に弾性変形するように形成されており、強く挟むことで組立が可能になることを特徴とする請求項４に記載のチェーンブロック組立玩具用輪。
【請求項６】
前記輪組立体（２０）は二つの分割体（２１）で構成され前記ドラム（１０）の両側で組立されて、前記分割体（２１）の周りに沿って凹凸面（２３）が形成され、
前記分割体（２１）がお互いに触れ合う部分には周り面に沿って装着面（２４）が形成され、かつ、前記装着面（２４）を軟質の弾性リング（２５）が囲むように装着されて、前記チェーンブロック組立玩具用輪がノンスリップ機能を有することを特徴とする請求項１に記載のチェーンブロック組立玩具用輪。
【考案の詳細な説明】
【技術分野】
【０００１】
本考案は、チェーンブロック組立玩具用輪に関するものであり、輪を多角度で組立できるようにしながらも、輪自体を組立ブロックで使用するか、または輪の回転のために輪に内蔵されるドラムを分離して別途の組立ブロックで使用できるようにしたものである。
【背景技術】
【０００２】
チェーンブロック組立玩具は、組立具に雌、雄差込部が形成されて、一つの組立具の差込部にまた他の組立具の差込部がチェーン式で連結されて平面または立体形態で多様な造形物に組立することができるようになる。
【０００３】
このようなチェーンブロックを利用して自動車やバイク、風車など回転機能を要する立体造形物を作る場合には組立具に輪を組立するようになるが、輪の構造は図１に示されたようにドラム１０が輪組立体２０に内蔵されて、組立具１００を輪に挟めばドラム１０と輪組立体２０がお互いに空転するようになりながら回転作動がなされるようになる。(韓国登録実用新案公報登録番号:２０-０３６８８３９、韓国登録実用新案公報登録番号:２０-０２１３５８９)
【０００４】
ところで、このような輪は組立具の雄結合部がドラムに挟まれる構造であるので、いつも同一な角度のみで組立されなければならないために組立方向の多様性を確保することができずに、これによって立体造形物を組立するにおいて、形態の制約を受けるようになる問題がある。
【０００５】
それだけでなく、輪を単純に回転機能のためだけで使用することができるから、回転機能が入らない造形物を作る時には輪が全然役に立たなくて活用度が非常に落ちる。
【先行技術文献】
【特許文献】
【０００６】
【特許文献１】韓国登録実用新案第２０-０３６８８３９号公報
【特許文献２】韓国登録実用新案第２０-０２１３５８９号公報
【考案の概要】
【考案が解決しようとする課題】
【０００７】
本考案は、前記のような問題点を解決するためのものであり、回転機能が必要な造形物を作ろうとする場合には組立具と輪の組立角度にかかわらず簡単に組立できるようにすることは勿論、輪自体を組立具で活用するか、または輪に内蔵されているドラムを分離してドラム自体を組立具として活用できるようにすることで、輪を汎用で活用できるようにして造形物を多様な形態で具現できるようにしたものである。
【課題を解決するための手段】
【０００８】
前記目的を達成するための技術的思想としての本考案は、輪がチェーンブロックの組立具が挟んで組立されるドラムと輪組立体が組立されてなされるようにして、ドラムは円筒状本体に段顎を形成して輪組立体の装着孔に挟んで組立された状態でドラムと輪組立体が空転するように組立されるようにして、ドラムの円筒状本体の両面には多角形でなされる結合部を形成することで組立具を多角度で挟んで組立するようにすることは勿論、輪自体または輪に内蔵されたドラムを分離して組立できるようにしたものである。
【考案の効果】
【０００９】
本考案によるチェーンブロック組立玩具用輪によれば、輪自体を組立具で使用するか、または輪に内蔵されたドラムのみを独立的に組立具で使用することができるので輪またはドラムを造形物の形態具現のための多様な用途で活用することができるし、ブロック組立のための選択の幅が広くなって乳児や子供の創意性をさらに高めることができるようになる。
【００１０】
また、輪の両側で組立具を挟んで組立することだけではなく、両側に組立される組立具がお互いに異なる角度で組立することができるようになるので、立体形状をさらに多様に具現することができるし、輪をいくつか連結して組立することで輪の幅を延ばすことができるので、大型自動車または大型回転体など非常に多様な形態の造形物をさらに事実的で精密に具現することができる。
【図面の簡単な説明】
【００１１】
【図１】従来のチェーンブロック組立玩具用輪の装着構造を示した斜視図である。
【図２】本考案の輪の構造を示した分解斜視図である。
【図３】本考案の輪の装着構造を示した斜視図である。
【図４】本考案のドラムの構造を示した斜視図である。
【図５】図４のドラムの断面図である。
【図６】本考案の輪を多様な形態で組立して使用する使用状態図である。
【図７】本考案の輪を多様な形態で組立して使用する使用状態図である。
【図８】本考案の輪を多様な形態で組立して使用する使用状態図である。
【図９】本考案の輪を多様な形態で組立して使用する使用状態図である。
【図１０】本考案の輪を多様な形態で組立して使用する使用状態図である。
【図１１】本考案の輪を多様な形態で組立して使用する使用状態図である。
【図１２】本考案の輪を多様な形態で組立して使用する使用状態図である。
【図１３】本考案のドラムの両面に雄結合部が形成された状態の斜視図である。
【図１４】図１３のドラムの断面図である。
【図１５】本考案のドラムの両面に雌結合部が形成された状態の斜視図である。
【図１６】図１５のドラムの断面図である。
【図１７】本考案の輪組立体のまた他の実施例による輪の組立構造を示した分解斜視図である。
【考案を実施するための形態】
【００１２】
考案の実施のための最善の形態は、チェーンブロックの組立具１００を挟んで組立されるドラム１０と輪組立体２０が空転するように装着されてなされるチェーンブロック組立玩具用輪１において、
前記ドラム１０は円筒状本体１１に段顎１２が形成されて輪組立体２０の装着孔２２に挟んで組立されてドラム１０と輪組立体２０が空転するように装着されて、前記ドラム１０の円筒状本体１１の両面には多角形でなされる結合部１３が形成されて輪またはドラムをお互いに挟んでチェーンブロック組立玩具の組立具で活用することができるようになることを特徴とするチェーンブロック組立玩具用輪である。
【００１３】
以下、添付された図面を参照して本考案を詳しく説明すれば次のようである。
図２及び図３に示されたように本考案の輪１は、チェーンブロックの組立具１００に挟んで使用するために組立具１００に挟んで組立されるドラム１０と、そのドラム１０に結合されながら回転可能に装着されて回転作動がなされる輪組立体２０を含んで構成される。
【００１４】
ドラム１０は組立具１００に挟んで固定するためのものであり、輪組立体２０の中央部に組立される円筒状本体１１の両端部に段顎１２が形成されて、輪組立体２０はその段顎１２がかかって固定されることができるように装着孔２２が形成されて、段顎１２が形成された部分の外径と装着孔２２の内径は直径が離隔されるように形成されて、ドラム１０と輪組立体２０が組立された状態で回転することが可能になって、これによって輪１が回転機能を有するようになる。
【００１５】
円筒状本体１１の両面には多角形でなされる結合部１３が形成されて輪１を組立具１００に挟んで組立するか、またはいくつかの輪１をお互いに組立するか、または輪１に内蔵されたドラム１０のみを抜き取って組立することができる。
【００１６】
すなわち、図６乃至図８に示されたように輪１を自動車またはバイクなどの運送手段造形物を組立する時の輪で使用するか、または風車や水車などの回転機能を有する造形物を組立する時の回転具として使用することができることは勿論、図９乃至図１１に示されたように造形物の柱や支持台などで活用することができる。
【００１７】
それだけでなく、図１２に示されたようにいくつかの輪１をお互いに連結して広幅の輪を具現することができるようになるので、トレーラーや重装備などの造形物をさらに事実的で精密に具現することができる。
【００１８】
ドラム１０に形成される結合部１３は多角形で内入されるか、または突き出された形状のかみ合い構造で形成することで組立具１００と輪１とドラム１０をお互いに組立する時多角度で組立がなされながら簡単に組立することができるようになるものであり、一番望ましくは８角形の形状で内入されるか、または突き出されるように結合部１３を形成することが望ましい。
【００１９】
ドラム１０に形成される結合部１３は、図４及び図５に示されたように円筒状本体１１の両側でそれぞれ雄結合部１４と雌結合部１５を一つずつ形成することが望ましいが、図１３及び図１４のようにドラムの両側に突き出されるように雄結合部１４を形成するか、あるいは図１５及び図１６に示されたようにドラムの両側に内入されるように雌結合部１５を形成することができる。
【００２０】
したがって、輪１の装着構造をさらに多様化することができることはもちろん、多様な形態で製作されるドラム１０自体としてチェーンブロック組立玩具の組立具で独立的に使用することができるので、チェーンブロックを利用した造形物製作時に選択の幅が広くなりながらさらに多様な形状や機能を有する造形物製作が可能になる。
【００２１】
雄結合部１４は多角形を構成する突き出壁体１４ａの周りに沿って締結溝１４ｂを形成して、雌結合部１５は多角形を構成する内入壁体１５ａに突き出されるように締結部１５ｂを形成すれば、雄結合部１４と雌結合部１５がお互いにかみ合い結合されながらさらに緊密に結合されながらも自由に分離できないようにできる。
【００２２】
この時、内入壁体１５ａに形成される締結部１５ｂは、切開部１５cによって締結部が前、後方に弾性変形するように形成すれば、雄結合部１４と雌結合部１５を挟んで組立する時さらに易しく挿入するか、または分離することができるようになる。
【００２３】
雌結合部１５の締結部１５ｂを形成するためには、締結部１５ｂの位置に対応されるように円筒状本体１１の周りに金型ホール１１ａを形成して締結部１５ｂを成形することが望ましくて、円筒状本体１１には複数のリブ１１ｂが形成されることができるように肉取り部１１ｃを形成して原料費を節減しながらもそれぞれのリブ１１ｂによって補強がなされるようにすることが望ましい。
【００２４】
それだけでなく、このように形成される金型ホール１１ａがドラム１０を組立するか、または分離する時指で把持する部分に位置されるので、使用者がドラム１０を組立するか、または分離する時金型ホール１１ａを取ってさらに易しく抜くか、または挟むことができるようになる。
【００２５】
ドラムの両側に突き出されるように雄結合部１４を形成するか、またはドラムの両側に内入されるように雌結合部１５を形成する場合には両面に形成された雄結合部１４と雌結合部１５をお互いに貫通するように製作することが望ましい。
【００２６】
一方、前記輪組立体２０は二つの分割体２１に両分されるように構成されてドラム１０の両側に組立するようになる。
【００２７】
分割体２１は固定要素２１ａによってお互いに挟まれて組立されて、分割体２１の周りに沿って凹凸面２３が突き出されるように形成されて輪１で使用時に地面に触れて回転する時すべりを防止するようにできる。
【００２８】
この時、分割体２１は図１７に示されたように分割体２１がお互いに触れ合うようになる部分には周り面に沿って装着面２４を形成して、装着面２４にゴムやシリコンなどでなされる軟質の弾性リング２５を囲むように装着すれば、輪の表面摩擦力をふやしながらノンスリップ機能を有するようにできる。
【００２９】
この時、弾性リング２５の厚さは凹凸面２３の突き出された高さより微細にさらに突き出されるようにすることが望ましい。
【００３０】
また、輪組立体２０の両面には長方形の四角形でなされる差込ホール２６を形成すればチェーンブロックの組立具１００を挿入して造形物をさらに多様な形態で具現することができる。
【図１】
0003210884.tif 000003
【図２】
0003210884.tif 000004
【図３】
0003210884.tif 000005
【図４】
0003210884.tif 000006
【図５】
0003210884.tif 000007
【図６】
0003210884.tif 000008
【図７】
0003210884.tif 000009
【図８】
0003210884.tif 000010
【図９】
0003210884.tif 000011
【図１０】
0003210884.tif 000012
【図１１】
0003210884.tif 000013
【図１２】
0003210884.tif 000014
【図１３】
0003210884.tif 000015
【図１４】
0003210884.tif 000016
【図１５】
0003210884.tif 000017
【図１６】
0003210884.tif 000018
【図１７】
0003210884.tif 000019